(57)【要約】【課題】複合式タッチセンサーの提供。【解決手段】複合式タッチセンサーであり、それはコンデンサー誘導式タッチパッドユニットと抵抗誘導式タッチパッドユニットを重ねて組み合わせた複合式タッチパッドで、該複合式タッチパッドにコンデンサー誘導式と抵抗誘導式のインターフェースを同時に兼ね備えさせる。そして、複合式タッチパッドの2つのタッチパッドユニットのタッチセンサー信号を信号処理ユニットへ伝送することができ、該信号処理ユニットは少なくとも1つの信号判別回路を有し、前記のコンデンサー誘導式タッチパッドユニット及び/或いは該抵抗誘導式タッチパッドユニットが伝送してきたタッチセンサー信号の種類を判別して、適した信号処理モードを自動選択し、信号処理ステップを遂行する。また、前記の信号判別回路は、マニュアル操作の信号切り替えスイッチで代替することもでき、ユーザーが該信号切り替えスイッチを操作して信号処理モードを選択し、処理に必要なタッチセンサー信号を受信するのに便利である。【選択図】図１
2008225980.tif 000002
【特許請求の範囲】
【請求項１】
コンデンサー誘導式インターフェースを設けた第一タッチパッドと抵抗誘導式インターフェースを設けた第二タッチパッドを包括し、該第一タッチパッドと第二タッチパッドを重ねて組み合わせ、一つのプレート体とし、
当該第一タッチパッドはパネル、第一軸誘導層、絶縁層、第二誘導層、底板、第一信号出力配線を具え、
該パネルはフレキシブル高透光率の絶縁薄膜であり
該第一軸誘導層は良好な導電特性を有する透明薄膜であり、第一トレースを含み、且つ該トレース端に接点を設け、
該絶縁層は透光性の絶縁性薄膜層であり、
該第二誘導層は良好な導電性特性を有する透明薄膜であり、第二トレースを含み、且つ該トレース端に接点を設け、
該底板はフレキシブル高透光率の絶縁薄膜であり、
該第一信号出力配線は該配線上に若干の導通パスを設け、
前記の各層間を順序通りに互いに重ねて貼り合せ、一つの透明プレート体であり、また前記の第一トレースと第二トレースはマトリックス式交差を呈して設置され、第一軸誘導層と第二軸誘導層の接点を利用し、該パネルと底板端の銀導通パスにそれぞれ電気的接続をし、また第一信号出力配線まで連通し、誘導層のセンサー信号を第一信号出力配線により、後続の信号処理ユニットまで伝送させることができ、
該第二タッチパッドはトッププレート、上方導電フィルム、下方導電フィルム、基板、及び第二信号出力配線を具え、
該トッププレートはフレキシブル高透光率の絶縁薄膜であり、
該上方導電フィルムは電子接点を有し、且つ良好な導電特性を有する透明薄膜であり、
該下方導電フィルムは電子接点を有し、且つ良好な導電特性を有する透明薄膜であり、
該基板は透光性を有する絶縁性プレート材であり、
該第二信号出力配線は該配線上に若干の導通パスを設け、
前記の該上方導電フィルムは該トッププレートの底表面上に設置され、該下方導電フィルムは該基板の上表面に設置され、且つ、上方、下方の導電フィルム二者の中間には多数のスペーサーが設置され、互いを一定の間隙で離し、向き合わせて配置し、また該2つの導電フィルムの配置エリア周辺に絶縁接着層を設け、互いに貼り合せて組み合わせ、一つの透明プレート体とすることができ、また、それらの導電フィルム上のセンサー信号は、パネル端に設置された銀導通パスを通して、第二信号出力配線へ伝送され、更に信号処理ユニットへ伝送されることを特徴とする複合式タッチパッド。
【請求項２】
前記の第二タッチパッドは第一タッチパッドの下に重ねて組み合わされ、一つのプレート体とすることを特徴とする請求項第1項に述べる、複合式タッチパッド。
【請求項３】
前記の第一タッチパッドの底板と第二タッチパッドのトッププレートは同一プレート体を共用することを特徴とする請求項第1項に述べる、複合式タッチパッド。
【請求項４】
さらに当該表面カバー層の上表面にハードコート層を有するものを包括することを特徴とする請求項第1項に述べる、複合式タッチパッド。
【請求項５】
コンデンサー誘導式タッチパッドユニット、抵抗誘導式タッチパッドユニット、信号処理ユニットを包括し、当該コンデンサー誘導式タッチパッドユニットと当該抵抗誘導式タッチパッドユニットを重ねて組み合わせ、一つのプレート体とし、また該2つのタッチパッドユニットのタッチセンサー信号を該信号処理ユニットへ伝送り、そして当該信号処理ユニットは少なくとも1つの信号判別回路を有し、前記のコンデンサー誘導式タッチパッドユニット及び/或いは該抵抗誘導式タッチパッドユニットが伝送してきたタッチセンサー信号の種類を判別し、適した信号処理モードを自動選択して、信号処理ステップを遂行することができることを特徴とする複合式タッチセンサー。
【請求項６】
コンデンサー誘導式タッチパッドユニット、抵抗誘導式タッチパッドユニット、信号処理ユニットを包括し、当該コンデンサー誘導式タッチパッドユニットと当該抵抗誘導式タッチパッドユニットを重ねて組み合わせ、一つのプレート体とし、また該2つのタッチパッドユニットのタッチセンサー信号を該信号処理ユニットへ伝送し、そして該信号処理ユニットは少なくとも1つのマニュアル操作の信号切り替えスイッチを有し、ユーザーが該信号切り替えスイッチを操作し、信号処理モードを選択して、希望のタッチセンサー信号を受信し処理するのに便利であることを特徴とする複合式タッチセンサー。
【請求項７】
さらに信号処理モードを選択し、当該コンデンサー誘導式タッチパッドユニットでタッチセンサー信号を受信し処理する時、当該抵抗誘導式タッチパッドユニットの導電層がクロス接続に設定され、当該コンデンサー誘導式タッチパッドユニットを接地とするものを包括することを特徴とする請求項第5項、或いは第6項に述べる、複合式タッチセンサー。
【発明の詳細な説明】
【技術分野】
【０００１】
本発明は複合式タッチセンサーで、特にコンデンサー誘導式と抵抗誘導式のタッチパッドのタッチセンサー、インターフェース、及びタッチセンサー信号の受信処理の装置を同時に備え持つものを指す。
【背景技術】
【０００２】
近年、タッチセンサーに関する生産技術が飛躍的に進歩し、該製品の機能と構成パーツの品質を絶え間なく高め、価格方面では更に大幅に低下している。そのため各タイプのタッチセンサーがすでに広く各種電子製品上に利用されている。一般的に、タッチセンサーはコンデンサー誘導式タッチパッド、抵抗誘導式タッチパッド、及び電磁式タッチパッド等のおおよそ3種類に大きく分けることができる。そのため、それらタッチパッドが持つ各機能の特色と長所短所が、現在、発展応用されている層もまたいくらか異なる。例えば、抵抗誘導式タッチパッドは、PDA、電子字典、携帯電話、MP3デジタルプレイヤー、或いはGPS等、小型電子製品のディスプレイ上によく使用される。そして、コンデンサー誘導式タッチパッドは、多くがノートパソコンのマウスパッド、バーチャル、キー…等に応用される。
【０００３】
更に進めて論じると、周知のコンデンサー誘導式タッチパッドの構造の概要はx軸誘導層(x trace)とy軸誘導層(y trace)を包括し、x、y軸誘導層を絶縁して該タッチパッド本体内に設置させ、またx、y軸誘導層はそれぞれ接地すると共に制御回路に接続される。運転時、タッチパッド表面を指や導体でタッチしたりして、軽く滑らせた時、ユーザーの指や導体がタッチした瞬間にコンデンサー効果が起こり、そのため制御回路は静電容量値の変化により、指或いは導体が触れた位置を確定することができる。コンデンサー誘導式タッチパッドは指で入力ができ、入力操作の便利性を有し、該入力操作は圧力をかける必要がなく、パネルに反復応力や変形を与えて、損害を引き起こす欠点がない。且つ該種のタッチパッドを構成する構造が簡単で、パーツが少なく、製品の良品率が高く、また大量生産してコスト低下させるのに適する。このほか、該種のタッチパッドはまた多ポイント誘導の機能を有し、これはこの種のタッチセンサーがマルチの制御機能を有することを意味する。そのため、ハイレベルの制御操作に運用できる。例えば、コンピュータゲームの操作上に応用され、制御されたバーチャルの主体の動作をより敏捷にしたりして、更に多様な表現性能を持たせることができる…。しかし、この種のコンデンサー誘導式タッチパッドはまた多くの欠点を有し、改善が待たれる。例えば、コンデンサー誘導式タッチパッドはEMIの干渉を受けて、ノイズを発生しやすく、タッチパッドに入力信号の判断ミスと誤動作を起こさせる。コンデンサー誘導式タッチパッドは指を用いて入力でき、非常に便利であるが、指入力方式センサーの正確性は高くなく、容易に誤操作を起こし、使用上の問題を起こす。特に文字認識の入力方面への使用は、中国文字のように画数が比較的多かったりして、形が複雑な文字は該認識率がきわめて低く、実用と言える程度に到達するのは難しい。前記の問題は特製のタッチペンの使用で克服できるが、比較的小さい面積のパネル上での使用や、比較的高い精度のポイント入力に対しては、まだ限度がある。該上、専用タッチペンの使用は、ペンを携帯し忘れた時や紛失した時などに、ユーザーに度々非常に不便な思いをさせる。
【０００４】
抵抗誘導式のタッチパッドの構造においては、主に2枚の面状の透明導電フィルムを包括し、一定の間隙で離して向き合わせて配置する。上方の導電フィルムはフレキシブル透明薄膜の一表面に設置され、下方の導電フィルムは堅固な材質の透明ガラス基板の一表面に設置され、2つの導電フィルムは1つのプレート体内に密封される。
この種の抵抗誘導式タッチパッドの上下導電フィルム及びプレート体は全て透明材料であり、そのため、電子製品の表示ディスプレイの前に配置するのに適する。ユーザーがスクリーン画面上の指示により、パネルの必要箇所に軽くタッチすることにより入力の機能を進行する。且つ一般に随時得られるペン先等で正確なタッチ位置の操作を行う。そのため、比較的小さい使用面積或いは比較的高精度のポイント入力に応用することができ、特に画数が比較的多かったりして、形体が複雑な文字認識の入力操作に適している。しかし、前記の抵抗誘導式タッチパッドのタッチによるパネル入力操作方式が、プレート体内部の導電フィルムに反復応力、ひずみを与え損害をもたらす。それゆえ使用寿命に限度があり、且つ指や先が比較的太いツールを使用して入力を行う時、通常、比較的不正確な入力結果が得られ、そのため採用できる入力ツールにはまた多くの制限がある。
【発明の開示】
【発明が解決しようとする課題】
【０００５】
本発明は主に、複合式タッチプレートを提供し、コンデンサー誘導式タッチパッド及び抵抗誘導式タッチパッドを整合して1つのプレート体であり、また前記の2種のタッチパッドの機能と長所を兼ね備えている。
本発明に基づく、当該複合式タッチパッドはコンデンサー誘導式、インターフェースを設けた第一タッチパッドと抵抗誘導式、インターフェースを設けた第二タッチパッドを包括し、該第一タッチパッドと第二タッチパッドを重ねて組み合わせて一つのプレート体とする。また前記の2つのタッチパッドのタッチセンサー信号をそれぞれ信号処理ユニットへ伝送する。そのうち、第一タッチパッドをコンデンサー誘導式タッチパッドであり、第二タッチパッドを抵抗誘導式タッチパッドとする。且つ、第一タッチパッドが第二タッチパッドの上に重ねて接続されているのが好ましい。
【０００６】
当該第一タッチパッドはパネル、第一軸誘導層、第二軸誘導層、第一軸と第二軸の誘導層間に設置された絶縁層、底板と第一信号出力配線、各プレート層間を互いに重ねて貼り合わせた透明プレート体を有する。そして、第一軸誘導層は第一トレース(Trace)を含み、第二軸誘導層は第二トレースを含む。また該第一トレースと第二トレースをマトリックス式交差を呈して設置させ、また第一軸誘導層と第二軸誘導層はそれぞれ接点を設け、且つパネル端に設置された銀導通パスに電気的接続する。そして当該第一信号出力配線に接続し、それら誘導層のタッチセンサー信号を該第一信号出力配線から信号処理ユニットへ伝送させることができる。
【０００７】
第一軸誘導層と第二軸誘導層が良好な導電特性を有する酸化インジウムスズ(ITO)の透明薄膜を使用しエッチングで製造されており、且つ該パネルの上表面がハードコート層を有するのが好ましい。
当該第二タッチパッドは主に、トッププレート、上方導電フィルム、多数のスペーサー、下方導電フィルム、基板及び第二信号出力配線と共に構成される。そして、該上方導電フィルムには電子接点が設けられ、且つ該トップトプレートの底表面上に設置される。該下方導電フィルムにも電子接点が設けられ、且つ該基板の上表面に設置される。上方、下方の導電フィルムの二者の中間に多数のスペーサーが設置され、互いを一定の間隙で離し、向き合わせて配置する。そして該2つの導電フィルムの配置エリアの周辺に絶縁接着層を設け、互いに貼り合わせて組み合わせて透明プレート体とすることができる。またそれら導電フィルム上のセンサー信号はパネル端に設置された銀導通パスを通して第二信号出力配線へ伝送され、さらに信号処理ユニットへ伝送される。
【０００８】
最も好ましいのは、前記の第一タッチパッドの底板が該第二タッチパッドのトッププレートを充当でき、第二タッチパッドの上方電極を前記の底板の下表面に直接設置させることで、こうするとプレート層を1つ省略できる。且つ上方導電フィルムと下方導電フィルムは良好な導電特性を持つ酸化インジウムスズ(ITO)の透明薄膜を使用し、エッチング製造されていること。
【０００９】
本発明はまた、複合式タッチセンサーを提供し、それはコンデンサー誘導式タッチパッド及び抵抗誘導式タッチパッドの2種のタッチセンサー、インターフェースを有し、各自、或いは二者が同時にタッチセンサー信号を発生することができ、次に、自動回路選択、或いは手動選択により、そのうちの1種のタッチセンサー信号を受信し処理することができる。これにより、タッチセンサーにコンデンサー誘導式と抵抗誘導式の２種のタッチパッドの機能と長所を同時に兼ね備えさせることができる。
【００１０】
本発明に基づく、該複合式タッチセンサーは、コンデンサー誘導式タッチパッドユニット、抵抗誘導式タッチパッドユニット、及び信号処理ユニットを包括し、該コンデンサー誘導式タッチパッドユニットと該抵抗誘導式タッチパッドユニットは重ねて組み合わせ、一つのプレート体とする。また該2つのタッチパッドユニットのタッチセンサー信号を該信号処理ユニットへ伝送する。そして該信号処理ユニットは少なくとも1つの信号判別回路を有し、前記のコンデンサー誘導式タッチパッドユニット、及び/或いは該抵抗誘導式タッチパッドユニットが伝送してくるタッチセンサー信号の種類を判別し、適切な信号処理モードを自動選択することができ、これにより信号処理ステップを遂行する。また前記の信号判別回路は、マニュアル操作による信号切り替えスイッチで代替することができ、ユーザーが該信号切り替えスイッチを操作することで信号処理モードを選択し、希望のタッチセンサー信号を受信し処理するのに便利である。
【００１１】
好ましいのは、該信号処理モードを選択し、該コンデンサー誘導式タッチパッドユニットのタッチセンサー信号を受信し処理する時、該抵抗誘導式タッチパッドユニットの導電層がクロス接続に設定され、該コンデンサー誘導式タッチパッドユニットの接地であり、これにより電磁妨害(Electro Magnetic Interference、略称EMI)を避けることである。
【課題を解決するための手段】
【００１２】
請求項１の発明は、コンデンサー誘導式インターフェースを設けた第一タッチパッドと抵抗誘導式インターフェースを設けた第二タッチパッドを包括し、該第一タッチパッドと第二タッチパッドを重ねて組み合わせ、一つのプレート体とし、
当該第一タッチパッドはパネル、第一軸誘導層、絶縁層、第二誘導層、底板、第一信号出力配線を具え、
該パネルはフレキシブル高透光率の絶縁薄膜であり
該第一軸誘導層は良好な導電特性を有する透明薄膜であり、第一トレースを含み、且つ該トレース端に接点を設け、
該絶縁層は透光性の絶縁性薄膜層であり、
該第二誘導層は良好な導電性特性を有する透明薄膜であり、第二トレースを含み、且つ該トレース端に接点を設け、
該底板はフレキシブル高透光率の絶縁薄膜であり、
該第一信号出力配線は該配線上に若干の導通パスを設け、
前記の各層間を順序通りに互いに重ねて貼り合せ、一つの透明プレート体であり、また前記の第一トレースと第二トレースはマトリックス式交差を呈して設置され、第一軸誘導層と第二軸誘導層の接点を利用し、該パネルと底板端の銀導通パスにそれぞれ電気的接続をし、また第一信号出力配線まで連通し、誘導層のセンサー信号を第一信号出力配線により、後続の信号処理ユニットまで伝送させることができ、
該第二タッチパッドはトッププレート、上方導電フィルム、下方導電フィルム、基板、及び第二信号出力配線を具え、
該トッププレートはフレキシブル高透光率の絶縁薄膜であり、
該上方導電フィルムは電子接点を有し、且つ良好な導電特性を有する透明薄膜であり、
該下方導電フィルムは電子接点を有し、且つ良好な導電特性を有する透明薄膜であり、
該基板は透光性を有する絶縁性プレート材であり、
該第二信号出力配線は該配線上に若干の導通パスを設け、
前記の該上方導電フィルムは該トッププレートの底表面上に設置され、該下方導電フィルムは該基板の上表面に設置され、且つ、上方、下方の導電フィルム二者の中間には多数のスペーサーが設置され、互いを一定の間隙で離し、向き合わせて配置し、また該2つの導電フィルムの配置エリア周辺に絶縁接着層を設け、互いに貼り合せて組み合わせ、一つの透明プレート体とすることができ、また、それらの導電フィルム上のセンサー信号は、パネル端に設置された銀導通パスを通して、第二信号出力配線へ伝送され、更に信号処理ユニットへ伝送されることを特徴とする複合式タッチパッドとしている。
請求項２の発明は、前記の第二タッチパッドは第一タッチパッドの下に重ねて組み合わされ、一つのプレート体とすることを特徴とする請求項第1項に述べる、複合式タッチパッドでとしている。
請求項３の発明は、前記の第一タッチパッドの底板と第二タッチパッドのトッププレートは同一プレート体を共用することを特徴とする請求項第1項に述べる、複合式タッチパッドとしている。
請求項４の発明は、さらに当該表面カバー層の上表面にハードコート層を有するものを包括することを特徴とする請求項第1項に述べる、複合式タッチパッドとしている。
請求項５の発明は、コンデンサー誘導式タッチパッドユニット、抵抗誘導式タッチパッドユニット、信号処理ユニットを包括し、当該コンデンサー誘導式タッチパッドユニットと当該抵抗誘導式タッチパッドユニットを重ねて組み合わせ、一つのプレート体とし、また該2つのタッチパッドユニットのタッチセンサー信号を該信号処理ユニットへ伝送り、そして当該信号処理ユニットは少なくとも1つの信号判別回路を有し、前記のコンデンサー誘導式タッチパッドユニット及び/或いは該抵抗誘導式タッチパッドユニットが伝送してきたタッチセンサー信号の種類を判別し、適した信号処理モードを自動選択して、信号処理ステップを遂行することができることを特徴とする複合式タッチセンサーとしている。
請求項６の発明は、コンデンサー誘導式タッチパッドユニット、抵抗誘導式タッチパッドユニット、信号処理ユニットを包括し、当該コンデンサー誘導式タッチパッドユニットと当該抵抗誘導式タッチパッドユニットを重ねて組み合わせ、一つのプレート体とし、また該2つのタッチパッドユニットのタッチセンサー信号を該信号処理ユニットへ伝送し、そして該信号処理ユニットは少なくとも1つのマニュアル操作の信号切り替えスイッチを有し、ユーザーが該信号切り替えスイッチを操作し、信号処理モードを選択して、希望のタッチセンサー信号を受信し処理するのに便利であることを特徴とする複合式タッチセンサーとしている。
請求項７の発明は、さらに信号処理モードを選択し、当該コンデンサー誘導式タッチパッドユニットでタッチセンサー信号を受信し処理する時、当該抵抗誘導式タッチパッドユニットの導電層がクロス接続に設定され、当該コンデンサー誘導式タッチパッドユニットを接地とするものを包括することを特徴とする請求項第5項、或いは請求項第6項に述べる、複合式タッチセンサーとしている。
【発明の効果】
【００１３】
複合式タッチセンサーであり、それはコンデンサー誘導式タッチパッドユニットと抵抗誘導式タッチパッドユニットを重ねて組み合わせた複合式タッチパッドで、該複合式タッチパッドにコンデンサー誘導式と抵抗誘導式のタッチセンサー、インターフェースを同時に兼ね備えさせる。そして、複合式タッチパッドの2つのタッチパッドユニットのタッチセンサー信号を信号処理ユニットへ伝送することができ、該信号処理ユニットは少なくとも1つの信号判別回路を有し、前記のコンデンサー誘導式タッチパッドユニット及び/或いは該抵抗誘導式タッチパッドユニットが伝送してきたタッチセンサー信号の種類を判別して、適した信号処理モードを自動選択し、信号処理ステップを遂行する。また、前記の信号判別回路は、マニュアル操作の信号切り替えスイッチで代替することもでき、ユーザーが該信号切り替えスイッチを操作して信号処理モードを選択し、処理に必要なタッチセンサー信号を受信するのに便利である。
【発明を実施するための最良の形態】
【００１４】
第一図、第二図に本発明の好ましい実施例を示す。それはコンデンサー誘導式タッチパッドユニット1、抵抗誘導式タッチパッドユニット2、及び信号処理ユニット3を包括する。そのうち、該コンデンサー誘導式タッチパッドユニット1はパネル11、X軸誘導層12、Y軸誘導層13、X軸とY軸の誘導層間に設置された絶縁層14、底板15、及び第一信号出力配線16を有する。そして当該パネル11はフレキシブル高透光率の絶縁薄膜であり、例えばポリエチレン、テレフタレート(PET)を薄膜材料に選ぶことができる。また該パネル11の上表面はハードコート層(hard coat)を有し、例えば高硬度紫外線硬化塗料を利用し、塗布して形成される。これにより該作業表面の傷及び汚染に対抗する性能を増強させる。X軸誘導層12とY軸誘導層13は良好な導電特性を持つ透明薄膜、例えば酸化インジウムスズ(indium tin oxide、略称ITO)薄膜を選ぶことができる。X軸とY軸の誘導層間の絶縁層14にはまた、透光性を有する絶縁材料、例えば、インク或いは高透光率のPET薄膜を選ぶことができる。該第一信号出力配線16にはフレキシブル、プリント回路板(FPC)を選ぶことができ、且つ該配線上に若干の導通パスを設置する。そして前記の各プレート層の材料間を互いに重ねて貼り合わせ、透明プレート体とする。また該X軸誘導層12とY軸誘導層13にはそれぞれ接点121、131が設けられ、且つ該パネルと底板端に設置された銀導通パス161を通して接続する。それら導電フィルム上のセンサー信号を第一信号出力配線16へ伝送し、次に後続の信号処理ユニット3へ伝送する。
【００１５】
そして、当該抵抗誘導式タッチパッドユニット2は主にトッププレート21、上方導電フィルム22、下方導電フィルム23、基板24、及び第二信号出力配線26と共に構成される。本実施例中、当該トッププレート21と前記のコンデンサー誘導式タッチパッドユニットの底板15は同一プレート材を共用する。しかし例外の状況では、当該トッププレート21と該底板15を各自が独立して選び、同一プレート材を共用しない(例を第三図に示す)。更に該コンデンサー誘導式タッチパッドユニット1と抵抗誘導式タッチパッドユニット2を重ねて組み合わせ、一つのプレート体とする時、該トッププレート21と底板15を貼り合わせ一つにする。当該基板24は堅固な材質の透明材料、例えば、透明ガラス板、アクリル板、PET板を使用する。第二信号出力配線26はフレキシブル、プリント回路板を選ぶことができ、且つ該配線上に若干の導通パスを設置する。そして、該上方導電フィルム22には電子接点を有する酸化インジウムスズの透明薄膜を設置し、且つ、該トッププレート21の底表面上に設置される。該下方導電フィルム23にも電子接点を有する酸化インジウムスズの透明薄膜を設け、該基板24の上表面に設置される。このほか、上方、下方の導電フィルム22、23二者の中間は、多数のスペーサー242で互いを一定の間隙で離し、向き合わせて配置する。また該2つの導電フィルム22、23配置エリアの周辺には絶縁接着層を設け、互いを貼り合せて、一つの透明プレート体とする。またそれらの導電フィルム上のセンサー信号はパネル端に設置された銀導通パス244セットを通して第二信号出力配線26へ伝送され、次に後続の信号処理ユニット3へ伝送される。又、前記の構造の説明のように、該コンデンサー誘導式タッチパッドユニット1の厚みが非常に薄いため、該抵抗誘導式タッチパッドユニット2上へ取り付けても、該抵抗誘導式タッチパッドユニット2のタッチ圧の感度を減少させない。しかし、前記の上方導電フィルム22の酸化インジウムスズ薄膜材料が受ける応力衝撃は緩和され、尖った先端による応力破壊を避けることができ、使用寿命が延長する。
【００１６】
当該信号処理ユニット3は信号判別回路を持ち、前記のコンデンサー誘導式タッチパッドユニット1、及び/或いは該抵抗誘導式タッチパッドユニット2が伝送してくるタッチセンサー信号の種類を判別し、適切な信号処理モードを自動選択することができ、これにより信号処理ステップを遂行する。例えば、ユーザーが指で本発明の複合式タッチパッドで入力操作を行った時、指のタッチでコンデンサー誘導式タッチパッドユニット1のX軸誘導層12とY軸誘導層13に静電容量センサー信号が起こる。そして指がパネル面に対しまだ圧力を加えていないため、当該抵抗誘導式タッチパッドユニット2には何も信号が起こらない。その結果、当該コンデンサー誘導式タッチパッドユニット1のコンデンサーセンサー信号が第一信号出力配線16を通過し、信号処理ユニット3へ伝送された時、該信号処理ユニット3の信号判別回路は、これに基づいて自動判定し、コンデンサー誘導式信号処理モード運転を選択する。該運転モード下で、該信号処理ユニット3は該コンデンサー誘導式タッチパッドユニット1のセンサー信号だけを受け取って処理し、該抵抗誘導式タッチパッドユニット2のセンサー信号を拒絶し受理しない。このほか、前記のコンデンサー誘導式信号処理モード運転下で、該信号処理ユニット3は該抵抗誘導式タッチパッドユニット2の上方導電フィルム22、及び/或いは下方導電フィルム23をクロス接続し、該コンデンサー誘導式タッチパッドユニットのX軸誘導層12とY軸誘導層13の接地層とする。これにより、静電気或いはEMIの干渉及び破壊を防止することができる。特に本発明の複合式タッチパッドを表示ディスプレイの前に取り付けて使用する時、使用期間に表示ディスプレイの光電信号(輻射)の反復作用を受けて、パネル上に残留した静電気が電磁干渉現象を引き起こすことを避け、該コンデンサー誘導式タッチパッドユニットの正常運転を維持することができる。
【００１７】
また、例えば、ユーザーがペン先で本発明の複合式タッチパッドに対し入力操作を行うと、ペン先がパネル11の作業エリアに触れ、上方の該コンデンサー誘導式タッチパッドユニット1が非常に薄く、且つフレキシブル材で構成されているため、ペン先の筆圧応力は該コンデンサー誘導式タッチパッドユニット1のプレート材を非常に容易に通して、該抵抗誘導式タッチパッドユニット2に作用することができる。ペン先の筆圧応力が作用位置の上方及び下方の導電フィルム22、23を電気的に接続し導通させる時にもセンサー信号が起きる。またペン先がパネル面上を滑って移動したりして、接触してもコンデンサーセンサー信号を触発しないため、該コンデンサー誘導式タッチパッドユニット1は何も信号を起こさない。その結果、該抵抗誘導式タッチパッドユニット2のセンサー信号が第二信号出力配線26を通過し、信号処理ユニット3へ伝送された時、該信号処理ユニット3の信号判別回路はこれに基づいた自動判定をし、抵抗誘導式信号処理モード運転を選択する。該運転モード下で、該信号処理ユニット3は該抵抗誘導式タッチパッドユニット2のセンサー信号だけを受け取って処理し、該コンデンサー誘導式タッチパッドユニット1から来たセンサー信号を拒絶して受理しない。
【００１８】
更に、例えば、ユーザーの同じ入力操作行為が2種のセンサー信号を起こした時、例えば、ペン型導体の入力ツールを使用すると、導体はこのコンデンサー誘導式タッチパッドユニット1でコンデンサーセンサー信号を起こし、そしてペン先の筆圧が該抵抗誘導式タッチパッドユニット2にセンサー信号を起こす。その結果、2種のセンサー信号が同時に信号処理ユニット3に伝送され、該信号処理ユニット3の信号判別回路の自動判定原則は、連続的なタッチセンサー操作中では、連続性信号原則のセンサー信号処理モード運転を自動選択し、初めに運転していたセンサー信号処理モードの中断や変更を選択しない。また非連続的、或いは新しいタッチセンサー操作では、予設の優先的センサー信号処理モードを自動選択して運転し、例えば予設をコンデンサーセンサー信号の優先とする。そして1つの運転モードを選んだ後、該信号処理の運転方式は上記の各段階の説明と同じである。
【００１９】
また、ある特殊なニーズの下、前記の信号処理ユニット3の信号判別回路はまた、マニュアル操作による信号切り替えスイッチで代替することができ、ユーザーが自分で該信号切り替えスイッチを操作し、必要な信号処理モードを選択決定するのに便利である。該信号切り替えスイッチでコンデンサー誘導式信号処理モード運転を選択すると、該信号処理ユニット3は、該コンデンサー誘導式タッチパッドユニット1のセンサー信号だけを受け取って処理し、該抵抗誘導式タッチパッドユニット2のセンサー信号を拒絶し受理しない。同じ原理で、該信号切り替えスイッチで抵抗誘導式信号処理モード運転を選択すると、該信号処理ユニット3は該抵抗誘導式タッチパッドユニット2のセンサー信号だけを受け取って処理し、該コンデンサー誘導式タッチパッドユニット1から来るセンサー信号を拒絶し受理しない。
【図面の簡単な説明】
【００２０】
【図１】本発明の側面断面の構造図である。
【図２】本発明のコンデンサー誘導式タッチパッドユニットの誘導層の図形を示す。
【図３】本発明の抵抗誘導式タッチパッドユニットの分離体図である。
【図４】本発明のもう一つの実施例の側面断面の構造図である。
【符号の説明】
【００２１】
1  コンデンサー誘導式タッチパッドユニット
2  抵抗誘導式タッチパッドユニット
3  信号処理ユニット
11  パネル
12  X軸誘導層  
13  Y軸誘導層
14  絶縁層 
15  底板 
16  第一信号出力配線 
21  トッププレート 
22  上方導電フィルム
23  下方導電フィルム 
24  基板 
26  第二信号出力配線
121、131  接点
242  スペーサー 
161、244  銀導通パス
【図１】
2008225980.tif 000003
【図２】
2008225980.tif 000004
【図３】
2008225980.tif 000005
【図４】
2008225980.tif 000006